(57)【要約】   【課題】  電気擦弦楽器として擦弦楽器で得られる長所を持ちつつ、フレット利用楽器で可能な和音演奏を可能とする電気擦弦楽器を提供する。  【解決手段】  電気擦弦楽器１００は、ボディ本体１１０とネック１２０とヘッド１３０と複数本の弦１４０の部位を備えている。弦１４０はブリッジ１１２により弦面が凸曲面となるように支持されている。ネック１２０の上面には指板１２１と音程を決めるフレット１２２が設けられている。ネック１２０のローポジション１２０ａでは、指板１２１と弦１４０の弦面が略平面に形成されるとともにフレット１２２が略平面に植設され、フレット１２２を用いてフレット利用単音擦弦奏法に加えてフレット利用和音擦弦奏法により和音を出すことも可能となっている。一方、ネック１２０のハイポジション１２０ｂでは、指板１２１と弦１４０の弦面が凸曲面に形成されるとともにフレット１２２を植設せず、フレット無し擦弦奏法が可能となっている。【選択図】  図１
2012058402.tif 000002
【特許請求の範囲】
【請求項１】
ボディ本体と、前記ボディ本体に連設されたネックおよびヘッドと、前記ボディ本体と前記ヘッド間に張設された複数本の弦と、前記ネックの上面に接合された指板と、一部の前記指板上に植設された音程を決めるフレットと、前記ボディ本体上に設置され前記弦の弦面を凸曲面に支持するブリッジと、前記ネック上に設置され前記弦の弦面を平面に支持するナットと、前記弦の振動を検出し電気信号に変換するピックアップ装置と、電気信号を外部音響機器に出力する出力端子を備え、
前記ネックのローポジションにおいて、前記指板および前記弦が形成する弦面を略平面に形成するとともに、前記指板上には前記フレットを略平面に植設し、前記フレットを用いたフレット利用和音擦弦奏法およびフレット利用単音擦弦奏法を可能とし、
前記ネックのハイポジションにおいて、前記指板および前記弦が形成する弦面を凸曲面に形成するとともに、前記指板上には前記フレットを植設せず、前記フレットを用いないフレット無し擦弦奏法を可能としたことを特徴とする電気擦弦楽器。
【請求項２】
一方を前記ネック先端付近またはヘッド付近に取り付け、他方を前記ボディ本体の後端付近に取り付けた第１のストラップと、一方を前記ボディ本体の先端付近に取り付け、他方を前記ボディ本体の後端付近に取り付けた第２のストラップを備え、
前記第１のストラップを肩から吊り下げることにより楽器全体の重量を支えるとともに、前記第２のストラップを腰に巻き付けることにより、楽器重心位置と擦弦位置とのずれにより演奏時に生じる楽器の左右揺動を抑制することを可能とした請求項１に記載の電気擦弦楽器。
【請求項３】
前記ピックアップ装置が、個々の前記弦に対応している個々のピックアップ部材の高さを可変とする構造を備え、個々の前記弦と個々の前記ピックアップ部材との距離を調整することによりバランスの取れた音量の出力を可能としたことを特徴とする請求項１または２に記載の電気擦弦楽器。
【請求項４】
前記フレットが取り替え可能な構造を備え、金属製のフレット、木製または樹脂製のフレットを選択して取り付け可能としたことを特徴とする請求項１乃至３に記載の電気擦弦楽器。
【請求項５】
前記ボディ本体が共鳴用の共鳴胴を備え、電気楽器として電気信号処理を経たスピーカーから出力される音と、前記共鳴胴を介した前記弦の直接の共鳴音の双方の音色を発音することができることを特徴とする請求項１乃至４に記載の電気擦弦楽器。
【請求項６】
従来の電気撥弦楽器のネックに対して貼り付ける指板と、前記指板上に設けられたフレットと、従来の電気撥弦楽器のボディ本体に取り付けるブリッジとを含む電気撥弦楽器−電気擦弦楽器変換キットであって、
前記指板は、前記従来の電気撥弦楽器のネックのローポジションにおいて略平面であり、ハイポジションにおいて凸曲面であり、
前記フレットは、前記指板の前記ローポジションにおいて略平面に植設され、前記ハイポジションには植設されておらず、
前記ブリッジは弦面が凸曲面となるように各弦を支える形状であり、前記従来の電気撥弦楽器のボディ本体に取り付けることにより前記弦の擦弦部付近が凸曲面を形成するように支持する形状である、電気撥弦楽器−電気擦弦楽器変換キット。
【発明の詳細な説明】
【技術分野】
【０００１】
本発明は、ピックアップを用いた電気式の擦弦楽器に関する。特に、擦弦楽器でありながら、フレット利用の撥弦楽器と同様の和音演奏表現などのフレット利用奏法と、擦弦楽器のビブラート奏法等の無音階での演奏表現などのフレット無し奏法の双方を可能とする擦弦楽器に関する。
【背景技術】
【０００２】
弦楽器には、大きく分けて、弦を弾いて発音する撥弦楽器、弦を擦って発音する擦弦楽器、弦を打って発音する打弦楽器の３種類がある。それぞれ以下のように分類される。
撥弦楽器：ギター、ウクレレ、三味線など
擦弦楽器：バイオリン、チェロ、胡弓、ビオラ・ダ・ガンバ、アルペジョーネなど
打弦楽器：ピアノ、楊琴など
ここで、撥弦楽器は、弦をピックまたは指で弾いて演奏するフレットまたはそれに類する指標とボディ本体およびネックを備えた楽器であり、擦弦楽器は、弓で弦を擦って演奏する共鳴胴とネックを備え、フレットを備えていない楽器（ただし、ビオラ・ダ・ガンバ、アルペジョーネはフレットを備えている楽器）であり、打弦楽器は、弦を打弦手段によって打撃して演奏する共鳴板を備えた楽器である。
【０００３】
上記の各々の弦楽器にはそれぞれ特徴がある。擦弦楽器は擦弦をしている間は音を持続して発することができるが、バイオリンなどの擦弦楽器では、指板及び弦面が平面ではなく凸面を成しているため、複数の弦を一本の指あるいは複数の指で一度に押さえて演奏するフレット付撥弦楽器では可能な和音演奏に向かない。
一方、撥弦楽器や打弦楽器は、弦を弾いたり打撃したりして弦を振動させた後は次第に減衰してゆくので持続音を発音させることができず、擦弦楽器のような発音開始後の音量の強弱の表現ができない。また、従来のフレット利用撥弦楽器は音程を定めるためのフレットがあるがために従来のフレット無し擦弦楽器では可能な音程の微妙なゆれを表現するビブラート奏法等の無音階での演奏表現ができない。
【０００４】
また、従来のギターなどの撥弦楽器を、仮に弓で擦弦した場合、弦面が平面なため複数の弦を擦ることになり、その結果、和音演奏は可能だが、逆に単弦のみを選択的に擦ることができず、単音での演奏ができない。
つまり、各々の弦楽器はそれぞれ特徴を持って発展してきた経緯があり、擦弦楽器と撥弦楽器の長所を兼ね備えたような弦楽器は現在のところ存在していない。
【０００５】
上記のように、各々の弦楽器はそれぞれ特徴を持ったものであるが、弦から発する振動音をそのまま発するアコースティック楽器のほか、弦から発する振動音をピックアップにより電気信号として検知し、アンプにより電気信号を増幅してスピーカーから音を発する、いわゆるエレクトリック楽器が発展してきた。代表的なものにいわゆるエレクトリックギターがある。また、近年では、バイオリンにピックアップを設けたいわゆるエレクトリックバイオリンと呼ばれるものも登場している。
【０００６】
従来技術のエレクトリックバイオリンは、従来のアコースティックのバイオリンを模した電気弦楽器であり、バイオリン弦の振動をピックアップで検出し、その検出信号を増幅して出力するというものである。そのため、奏法に関しては、従来のアコースティックなバイオリンと変わらず、指を立てて単弦を押さえつつ弓で弦を擦弦する単音擦弦による演奏が中心となる。
【０００７】
従来技術のエレクトリックバイオリンとして、例えば、特開２００３−１５０１６４号公報には、弦と、該弦を支持する駒と、該駒が立設される本体部とを備えた擦弦楽器であって、駒下に取り付けられ、当該駒の振動を電気エネルギーに変換する複数の圧電素子を有する振動検出センサを備え、前記複数の圧電素子が並列接続されたエレクトリックバイオリンが開示されている。
【０００８】
また、エレクトリックバイオリンとして、音程決めを容易とするフレットを指板上に植設したものとして、特開２００５−２８３７３２号公報、米国特許７２３０１７４号などがある。これらは公報には、ボディ本体と、前記ボディ本体に連設された棹と、前記ボディ本体と前記棹の上方に張設された複数本の弦と、前記弦の音程を決めるフレットを有し前記棹の上面に接合された指板と、前記ボディ本体上に立設され前記弦の擦弦部付近を支持する駒と、前記弦の振動を検出し電気信号に変換するピックアップ装置とを備えたエレクトリックバイオリンが開示されている。これら特許は、一般のバイオリンが弦の音程を決める目印となるフレットやそれに類する指標を備えていないため熟練が必要とされていた点を解決する手段として、演奏を容易とするためにエレクトリックバイオリンにおいてすべてのポジションにフレットを設けたものである。つまり、従来のバイオリンなどのネック部分のすべてのポジションにフレットを設けたものである。特開２００５−２８３７３２号公報には、バイオリンやチェロと同様に弦ごとの弓奏を容易にするという効果が紹介されている。
【０００９】
【特許文献１】特開２００３−１５０１６４号公報
【特許文献２】特開２００５−２８３７３２号公報
【特許文献３】米国特許７２３０１７４号
【発明の開示】
【発明が解決しようとする課題】
【００１０】
和音は、聴者に心地よい豊かな音色であるため、しばしば用いられる。和音は複数の弦を振動させる必要があるため、ギターのような撥弦楽器やピアノのような打弦楽器において多用されている。アコースティックギターやエレクトリックギターなどの撥弦楽器は、和音奏法と単弦奏法のいずれも選択的に可能であり、ピアノのような打弦楽器も和音奏法と単弦奏法のいずれも選択的に可能である。フレットが付いているフレット利用楽器は複数の弦の音程を決めやすいので和音奏法に向いている。
【００１１】
しかし、バイオリンなどの擦弦楽器では、指板及び弦面が平面ではなく凸面を成しており、また、ビブラート奏法等の無音階での演奏表現などを可能とするためフレットが設けられていないため、複数の弦を一本の指あるいは複数の指で一度に押さえて演奏する和音演奏に向かず、事実上、指を立てて単弦を押さえつつ擦弦する単弦奏法が中心であった。
バイオリンなどの擦弦楽器では、むしろ、確実に単弦を擦弦して他の弦には触れないようにするため、ネック先端の糸巻き部とボディ本体のテイルピースの間に、上面が凸曲面となっているブリッジを立てることにより、弦面が凸曲面となるように工夫していた。つまり、従来のアコースティックバイオリンおよびエレクトリックバイオリンのいずれにおいても、凸曲面のブリッジを立てることにより弦面を凸曲面とし、一本一本の弦を確実に単独で擦弦するものとなっていた。なお、弦面は、ブリッジに近いハイポジション（ボディ本体近くの弦の位置）のみならず、ネック先端に近いローポジション（ネック先端近くの弦の位置）においても凸曲面となっている。この点は、上記の特開２００３−１５０１６４号公報、特開２００５−２８３７３２号公報、米国特許７２３０１７４号に開示されたエレクトリックバイオリンも同様である。
【００１２】
そこで、もし、エレクトリック弦楽器において、従来のフレット無し擦弦楽器の長所、従来のフレット利用撥弦楽器の長所を併せ持ったものが可能であれば、従来にはない全く新しい演奏音を創出することができる電気擦弦楽器が得られることとなる。
つまり、(1)フレット付撥弦楽器のように、複数の弦を指で一度に押さえて演奏する和音演奏ができるとともに、(2)擦弦楽器のように、擦弦開始後も発音が持続して音量の強弱の表現ができ、(3)フレット付擦弦楽器でありながらも、従来のフレット無し擦弦楽器では可能である単弦のみを選択的に擦弦して音程の微妙なゆれを表現するビブラート奏法等の無音階での演奏表現ができるという、従来の擦弦楽器の長所、従来の撥弦楽器の長所を併せ持ったものが好ましい。
つまり、電気擦弦楽器として、フレット無し楽器同様に擦弦するフレット無し奏法を可能としつつ、フレット利用楽器同様に複数の弦を同時に擦弦して振動させるフレット利用和音奏法ができれば、従来にはない全く新しい演奏音を創出することができる電気擦弦楽器が得られることとなる。
【００１３】
上記問題点に鑑み、本発明は、フレット利用の撥弦楽器と同等のフレットを利用した和音演奏と、フレット無しの擦弦楽器のビブラート奏法等の無音階での演奏表現などのフレット無しの擦弦奏法を可能とする電気擦弦楽器を提供することを目的とする。
【課題を解決するための手段】
【００１４】
上記目的を達成するため、本発明の電気擦弦楽器は、ボディ本体と、前記ボディ本体に連設されたネックおよびヘッドと、前記ボディ本体と前記ヘッド間に張設された複数本の弦と、前記ネックの上面に接合された指板と、一部の前記指板上に植設された音程を決めるフレットと、前記ボディ本体上に設置され前記弦の弦面を凸曲面に支持するブリッジと、前記弦の振動を検出し電気信号に変換するピックアップ装置と、電気信号を外部音響機器に出力する出力端子を備え、前記ネックのローポジションにおいて、前記指板および前記弦が形成する弦面を略平面に形成するとともに、前記指板上には前記フレットを略平面に植設し、前記フレットを用いたフレット和音擦弦奏法およびフレット単音擦弦奏法を可能とし、前記ネックのハイポジションにおいて、前記指板および前記弦が形成する弦面を凸曲面に形成するとともに、前記指板上には前記フレットを植設せず、前記フレットを用いないフレット無擦弦奏法を可能としたことを特徴とする電気擦弦楽器である。
【００１５】
上記構成により、本発明の電気擦弦楽器において、ローポジションでは、指板および弦面が略平面である上にフレットが設けられており、いわゆるエレクトリックギターと同様の運指により指で複数弦を同時に押さえやすく、かつ、複数の弦を擦弦することにより和音演奏が可能となる。本発明ではこの奏法を「フレット利用和音擦弦奏法」と呼ぶ。なお、ローポジションでも一本の弦に指を立てて押さえて擦弦する単音擦弦演奏が可能である。本発明ではこの奏法を「フレット利用単音擦弦奏法」と呼ぶ。また、ハイポジションでは、指板および弦面が凸曲面となっており、かつ、指板上にはフレットを植設されていないので、いわゆるフレット無しのビブラート奏法等の無音階での演奏表現などの擦弦奏法が可能となっている。本発明ではこの奏法を「フレット無し擦弦奏法」と呼ぶ。つまり、本発明の電気擦弦楽器において、ローポジションでは、エレクトリックギターと同様、運指により指で複数弦を押さえつつ同時に複数の弦を擦弦する「フレット利用和音擦弦奏法」と一本の弦に指を立てて押さえ、単弦を擦弦する「フレット利用単音擦弦奏法」を選択に行うことができ、ハイポジションでは、従来の擦弦楽器と同様のフレット無しのビブラート奏法等の無音階での演奏表現などに代表される「フレット無し擦弦奏法」を行うことができる。
なお、ここで、弦面とは、ネックの幅方向における各弦の並びが形成する仮想的な曲面を意味する。
【００１６】
次に、本発明の電気擦弦楽器の上記構成において、前記ピックアップ装置が、個々の前記弦に対応している個々のピックアップ部材の高さを可変とする構造を備えたものが好ましい。
このように、ピックアップ装置が個々のピックアップ部材の高さを可変とする構造を備えることにより、個々の前記弦と個々の前記ピックアップ部材との距離を調整することによりバランスの取れた音量の出力が可能となる。
【００１７】
また、本発明の電気擦弦楽器の上記構成において、前記フレットが取り替え可能な構造を備えることが好ましい。例えば、金属製のフレット、木製または樹脂製のフレットを選択して取り付け可能となれば、擦弦後の残響音が欲しい場合には金属製のフレットを使用し、擦弦後の残響音を消したミュートの効いた音色が欲しい場合は木製あるいは樹脂製のフレットを使用すれば良い。
【００１８】
また、本発明の電気擦弦楽器の上記構成において、前記ボディ本体が共鳴用の共鳴胴を備えた構成とすることが好ましい。ボディ本体が共鳴用の共鳴胴を備えることにより、電気楽器として電気信号処理を経たスピーカーから出力される音と、共鳴胴を介した弦の直接の共鳴音の双方の音色を発音することができる。
【００１９】
次に、上記本発明の電気擦弦楽器の抱え方と、その抱え方を可能とするストラップについて述べる。
上記本発明の電気擦弦楽器は、左手（右利きの場合。以下、左利きの場合は逆の右手となる）によりいわゆるエレクトリックギターのような運指を行い、かつ、右手（右利きの場合。以下、左利きの場合は逆の左手となる）は弓による擦弦動作を行うため、抱え方に特徴がある。まず、左手の運指に関してはいわゆるエレクトリックギターのような和音演奏を可能とするため、いわゆるエレクトリックギターのように楽器全体を肩から吊り下げて腰前で構える。一方、右手による弓の擦弦動作を伴うため、楽器の重心位置と擦弦位置がずれている場合、回転モーメントが生じて楽器が擦弦動作につれて揺動してしまうことを抑えるため、腰に対して固定させる必要がある。そこで、本発明者は以下のストラップを開発した。
【００２０】
つまり、本発明の電気擦弦楽器のストラップは、一方を前記ネック先端付近またはヘッド付近に取り付け、他方を前記ボディ本体の後端付近に取り付けた第１のストラップと、一方を前記ボディ本体の先端付近に取り付け、他方を前記ボディ本体の後端付近に取り付けた第２のストラップを備えたものであり、前記第１のストラップを肩から吊り下げることにより楽器全体の重量を支えるとともに、前記第２のストラップを腰に巻き付けることにより楽器重心位置と擦弦位置とのずれにより演奏時に生じる楽器全体の左右揺動を抑制することを可能とした。
【００２１】
次に、従来の電気撥弦楽器を改変して、上記本発明の電気擦弦楽器を得るための、電気撥弦楽器−電気擦弦楽器変換キットについて述べる。
電気撥弦楽器−電気擦弦楽器変換キットの構成は、従来の電気撥弦楽器のネックに対して貼り付ける指板と、前記指板上に設けられたフレットと、従来の電気撥弦楽器のボディ本体に取り付けるブリッジとを含むものである。ここで、前記指板は、前記従来の電気撥弦楽器のネックのローポジションにおいて略平面であり、ハイポジションにおいて凸曲面であり、前記フレットは、前記指板の前記ローポジションにおいて略平面に植設され、前記ハイポジションには植設されておらず、前記ブリッジは弦面が凸曲面となるように各弦を支える形状であり、前記従来の電気撥弦楽器のボディ本体に取り付けることにより前記弦の擦弦部付近が凸曲面を形成するように支持する形状である。
このような電気撥弦楽器−電気擦弦楽器変換キットを提供することにより、従来の電気撥弦楽器として広く普及しているエレクトリックギターを基に、電気撥弦楽器−電気擦弦楽器変換キットの指板の貼り付けやブリッジの取り付けにより、簡単に本発明の電気擦弦楽器を製作することができる。
【発明の効果】
【００２２】
本発明の電気擦弦楽器によれば、ローポジションでは、指板および弦面が略平面である上にフレットが設けられており、フレット利用楽器として、エレクトリックギターと同様の運指により指で複数弦を同時に押さえ、複数の弦を同時に擦弦する「フレット利用和音擦弦奏法」、一本の弦に指を立てて押さえ、当該弦のみを擦弦する「フレット利用単音擦弦奏法」を選択的に行うことができる。また、ハイポジションでは、指板および弦面が凸曲面となっており、かつ、指板上にはフレットを植設されていないので、フレット無し楽器としていわゆるビブラート奏法等の無音階での演奏表現などの「フレット無し擦弦奏法」ができる。
つまり、一台の擦弦楽器でありながらポジションによって、フレット利用楽器としての奏法とフレット無し楽器としての奏法が可能となり、ローポジションでは、複数の弦を指で一度に押さえて演奏する「フレット利用和音擦弦演奏」や「フレット利用単音擦弦演奏」ができるとともに、ハイポジションでは、擦弦を持続しつつ音程の微妙なゆれを表現するビブラート奏法等の無音階での演奏表現などの「フレット無し擦弦奏法」ができる。
【発明を実施するための最良の形態】
【００２３】
以下、図面を参照しつつ、本発明の電気擦弦楽器および電気撥弦楽器−電気擦弦楽器変換キットの実施例を説明する。ただし、本発明の範囲は以下の実施例に示した具体的な用途、形状、本数、個数などには限定されないことは言うまでもない。
【実施例１】
【００２４】
実施例１にかかる本発明の電気擦弦楽器の例を示す。
図１は、本発明の電気擦弦楽器１００の構成例を模式的に示す図である。上側の図は平面図、下側の図は側面図となっている。この例では６弦の例となっている。
図１に示すように、本発明の電気擦弦楽器１００は、ボディ本体１１０、ネック１２０、ヘッド１３０、弦１４０（弦１４０ａ〜１４０ｆ）の各パーツを備えている。また、擦弦するための弓２００（図１には図示せず）がある。ボディ本体１１０には、テイルピース１１１、ブリッジ１１２、ピックアップ装置１１３、音量調節ツマミ１１４、出力端子１１５が設けられており、ネック１２０には、指板１２１、フレット１２２、ナット１２３が設けられており、ヘッド１３０には糸巻き部１３１が設けられている。
【００２５】
ボディ本体１１０は、ネック１２０等を支える中心的部材であり、この構成例は、従来のエレクトリックギターと同様なソリッドタイプであり、特に共鳴胴は設けられていない例である。本発明の電気擦弦楽器のボディ本体１１０が、従来のアコースティックバイオリンやアコースティックギターのように共鳴用の共鳴胴を備えたものであれば、電気楽器として電気信号処理を経たスピーカーなどから出力される電気処理音と、共鳴胴を介した弦の直接の自然の共鳴音の双方の音色を発音することができるというメリットが得られる。
【００２６】
次に、ボディ本体１１０の概形について述べる。図１に示すように、本構成例のボディ本体の概形は独特なフォルムとなっている。このようなフォルムとなっている理由としては、装飾的なデザイン面のほかに機能面からの理由がある。演奏時に本発明の電気擦弦楽器を腰前に抱えつつ弓２００を傾けて両端の弦を弓奏するときに、弓２００がボディ本体１０３に当たらないようにする必要がある。その結果、擦弦箇所となるボディ本体の中央の側面部分が十分にくびれた形に形成されており、また、所要角度をもって傾斜するように形成されている。
【００２７】
テイルピース１１１は、弦１４０の後端部をしっかりと固定する部材である。この例では弦１４０ａ〜１４０ｆの６本の弦が等間隔で並べられて固定されている。
図２は、テイルピース１１１における各弦１４０ａ〜１４０ｆの固定位置を模式的に示した図である。図１におけるＡ−Ａ線断面図となっている。図２に示すように、各弦１４０ａ〜１４０ｆの高さは略同一であり、水平に等間隔で並べられて固定されているものとなっている。
【００２８】
ブリッジ１１２は、各々の弦１４０ａ〜１４０ｆを上方に持ち上げてそれぞれ個別に高さを調整できる機能を持った板状体であり、ボディ本体の上面に立てるように取り付けられる。従来のバイオリンのブリッジと同様、その上面は凸曲面となっており、各々の弦１４０ａ〜１４０ｆを上方に持ち上げ、その弦面が凸曲面となるように張設せしめる。ブリッジ１１２の各弦の張設高さは十分な可動調整範囲を持っているものであることが好ましい。図２にはブリッジサドル位置調節ネジ１１１０が簡単に示されている。
【００２９】
図３は、ブリッジ１１２における各弦１４０ａ〜１４０ｆの固定位置を模式的に示した図である。図１におけるＢ−Ｂ線断面図となっている。ブリッジ１１２は、ブリッジサドル高さ調節ネジ１１２０を備え、各弦１４０ａ〜１４０ｆはブリッジ高さ調節ネジ１１２０によって高さが調節され、張設されている。図３に示すように、各弦１４０ａ〜１４０ｆの高さは両端にある弦１４０ａ、弦１４０ｆが低く、中央にある弦１４０ｃ、弦１４０ｄが最も高く、弦面が凸曲面を形成するように張設されている。このように弦面が凸曲面となるように張設される理由は、バイオリンと同様、凸型とすることにより単弦の擦弦を可能とするものである。
このように、本発明の電気擦弦楽器１００はブリッジ１１２を備えることにより、単音での擦弦演奏が可能となっている。
【００３０】
ピックアップ装置１１３は、弦１４０の振動を検出して電気信号に変換する装置である。ピックアップ装置１１３は、ボディ本体３の擦弦演奏に支障のない位置で、かつ弦１４０の真下に位置するように取り付けられている。
【００３１】
図４は、擦弦箇所付近の各弦１４０ａ〜１４０ｆの張設位置を模式的に示した図である。図１におけるＣ−Ｃ線断面図となっている。図４に示すように、各弦１４０ａ〜１４０ｆの高さは両端にある弦１４０ａ、弦１４０ｆが低く、中央にある弦１４０ｃ、弦１４０ｄが最も高く、弦面が凸曲面を形成するように張設されている。各弦１４０ａ〜１４０ｆの張設位置はブリッジ１１２付近の張設位置よりも若干低くなっているが、弦面が十分な曲率を持った凸曲面となっているので、容易に一つ一つの弦１４０ａ〜１４０ｆを選択して擦弦することが可能となっている。
【００３２】
次に、ピックアップ装置１１３は弦の振動を検知して電気信号に置換する装置である。ピックアップ装置１１３の変換素子であるピックアップ部材としては、各弦１４０ａ〜１４０ｆの振動を磁束の変化として検出し電気信号に変換するマグネット−コイル式のもの、圧電素子と圧電素子の両面にそれぞれ形成された電極層を備えて各弦１４０ａ〜１４０ｆの振動に伴う両電極層間の電圧変化を電気信号として取出すピアゾ式のもの、その他も含め、多様なものがあり得る。
ピックアップ装置１１３は、ボディ本体１１０内に組み込まれている楽音を生成する信号処理回路（図示せず）に接続されており、電気信号が処理される。
【００３３】
なお、ピックアップ装置１１３において、個々の弦１４０に対応している個々のピックアップ部材の高さを可変とする構造（図示せず）を備えたものであることが好ましい。例えば、ネジの緩急による個々のピックアップ部材の高さを昇降できる構造などがある。電気擦弦楽器１００を演奏することで発せられる音は、個々の弦と個々のピックアップ部材との距離に応じて変わるため、個々の弦と個々のピックアップ部材との距離を調節することができれば、各弦の間でバランスの取れた音量の出力調整が可能となる。
【００３４】
音量調節ツマミ１１４は、ピックアップ装置１１３で検知した電気信号の出力レベルを調整するツマミである。
出力端子１１５は、外部機器に接続するための部分であり、スタジオでレコーディング機器に接続して録音したり、アンプスピーカーに接続してコンサート等において大音量で演奏したりすることができるようになる。
【００３５】
ネック１２０は、ボディ本体１１０から延びた長尺のものであり、先端にはヘッド部１３０が設けられている。
ネック１２０は、奏者が指で弦１４０（この例では１４０ａ〜１４０ｆ）を押さえる部分であり、この構成例では、後述するように、フレットを利用して指で複数弦を同時に押さえる「フレット利用和音擦弦奏法」と、フレットを利用して一本の弦に指を立てて押さえる「フレット利用単音擦弦奏法」、フレットを利用せずに演奏する「フレット無し擦弦奏法」を選択的に行うことができるものとなっている。
ネック１２０の上面には指板１２１が貼り合わされ、指板１２１の上の所定箇所には各弦１４０の音程を決めるフレット１２２が設けられ、ネック１２０の先端でヘッド１３０との境界付近にナット１２３が設けられている。フレット１２２は弦１４０と直交するように指板１２１の長手方向に所要の間隔をおいて植設されている。各フレット１２２の上面は、指板１２１の表面から上方に突出している。
【００３６】
なお、フレット１２２が設けられることにより演奏時に弦１４０がフレット１２２に触れつつ振動することとなるため、フレット１２２の素材により発せられる音の音色に影響を与える。金属製のフレットであれば残響音が出やすく、木製または樹脂製のフレットであれば、残響音が少なくなりミュートの効いた音が出やすい。このようにフレット１２２の素材選択は重要である。そこで、フレット１２２が取り替え可能な構造を備えておれば、例えば、フレット１２２の貼り付け、取り外しが自在にできるものとすれば、電気擦弦楽器１００の奏者がフレット１２２の素材を選択して取り替えるという運用が可能となる。
【００３７】
次に、指板１２１の上面の形状について述べる。本発明の電気擦弦楽器１００独特の形状を備えたものとなっている。また、指板１２１上にフレット１２２を設ける位置・範囲も本発明の電気擦弦楽器１００独特の位置となっている。
指板１２１の上面は、ハイポジション付近では凸曲面、つまり、幅方向において、中央付近が最も高く、両端が最も低くなるように凸曲面に湾曲し、ローポジションに向かって行くほど徐々に凸曲面の曲率が小さくつまり山が低くなってゆき、ミドルローポジション付近では略平面近くになり、ローポジションでは平面になるように、ハイポジションからローポジションにかけて緩やかかつ滑らかに変化する形状となっている。
【００３８】
図５から図８は、指板１２１の上面の形状の変化と、指板１２１上に張設された弦１４０ａ〜１４０ｆの高さの変化を模式的に示した図である。
まず、図５は、指板１２１の後端付近であるいわゆるハイポジション付近における指板１２１の形状と各弦１４０ａ〜１４０ｆの張設位置を模式的に示した図である。図１におけるＤ−Ｄ線断面図となっている。図５に示すように、各弦１４０ａ〜１４０ｆの高さは両端にある弦１４０ａ、弦１４０ｆが低く、中央にある弦１４０ｃ、弦１４０ｄが最も高く、弦面が凸曲面を形成するように張設されているが、擦弦箇所であった図４に示した張設位置より若干低くなっている。また、指板１２１の上面も凸曲面となっており、弦１４０ａ〜１４０ｆの弦面の凸曲面に応じた凸曲面となっており、各弦１４０ａ〜１４０ｆと指板１２１間の距離は概ね等しくなっており、どの弦１４０ａ〜１４０ｆも容易に指を立てて押さえる「単音擦弦奏法」に適していることが分かる。また、ハイポジション付近における指板１２１上にはフレット１２２が設けられていない。このように、ハイポジション付近ではフレット１２２が設けられておらず、従来のバイオリンと同様の「フレット無し擦弦奏法」に適した構造となっており、ビブラート奏法等の無音階での演奏表現などができる。
【００３９】
次に、図６は、指板１２１のいわゆるミドルハイポジション付近における指板１２１の形状と各弦１４０ａ〜１４０ｆの張設位置を模式的に示した図である。図１におけるＥ−Ｅ線断面図となっている。図６に示すように、各弦１４０ａ〜１４０ｆの高さは両端にある弦１４０ａ、弦１４０ｆが低く、中央にある弦１４０ｃ、弦１４０ｄが最も高く、弦面が凸曲面を形成するように張設されているが、図５に示したハイポジションの張設位置よりさらに低くなっている。また、指板１２１の上面は弦１４０ａ〜１４０ｆの弦面の凸曲面に応じた凸曲面となっており、各弦１４０ａ〜１４０ｆと指板１２１間の距離は概ね等しくなっており、どの弦１４０ａ〜１４０ｆも容易に指を立てて押さえる「単音擦弦奏法」に適していることが分かる。
また、このミドルハイポジション付近における指板１２１上にもフレット１２２が設けられておらず、従来のバイオリンと同様の「フレット無し擦弦奏法」に適した構造となっており、ビブラート奏法等の無音階での演奏表現などができる。
【００４０】
次に、図７は、指板１２１のいわゆるミドルローポジション付近における指板１２１の形状と各弦１４０ａ〜１４０ｆの張設位置を模式的に示した図である。図１におけるＦ−Ｆ線断面図となっている。図７に示すように、各弦１４０ａ〜１４０ｆの高さは、両端にある弦１４０ａ、弦１４０ｆが低く、若干中央にある弦１４０ｃ、弦１４０ｄが高く、弦面が緩やかな凸曲面を形成するように張設されているが、図６に示したミドルハイポジションの張設位置よりさらに低くなっており、弦面が略平面になってきている。また、指板１２１の上面は弦１４０ａ〜１４０ｆの弦面に応じて略平面となっている。さらに、このミドルローポジション付近においては指板１２１上にフレット１２２が設けられている。つまり、弦面が略平面かつ指板１２１にフレットが設けられている２つの特徴から、弦１４０ａ〜１４０ｆの一つに指を立てて押さえて擦弦する「フレット利用単音擦弦奏法」のほか、指で複数弦を同時に押さえる「和音擦弦奏法」も可能となっている。つまり、ミドルローポジションでは「フレット利用単音擦弦奏法」と指で複数弦を同時に押さえる「フレット利用和音擦弦奏法」のいずれも選択して演奏できるようになっている。
【００４１】
次に、図８は、指板１２１のいわゆるローポジション付近における指板１２１の形状と各弦１４０ａ〜１４０ｆの張設位置を模式的に示した図である。図１におけるＧ−Ｇ線断面図となっている。図８に示すように、各弦１４０ａ〜１４０ｆの弦面が平面に張設されている。つまり、ナット１２３に近い位置であり弦面が平面になっている。指板１２１の上面も平面になっており、各弦１４０ａ〜１４０ｆと指板１２１間の距離は概ね等しくなっている。さらに、このローポジション付近においても指板１２１上にフレット１２２が設けられている。つまり、弦面が略平面かつ指板１２１にフレットが設けられている２つの特徴から、弦１４０ａ〜１４０ｆの一つに指を立てて押さえて擦弦する「フレット利用単音擦弦奏法」のほか、指で複数弦を同時に押さえる「和音擦弦奏法」も可能となっている。つまり、ローポジションでは「フレット利用単音擦弦奏法」と指で複数弦を同時に押さえる「フレット利用和音擦弦奏法」のいずれも選択して演奏できるようになっている。
【００４２】
以上、図５から図８に示したように、指板１２１の上面は、ハイポジション付近では凸曲面に湾曲し、ローポジションに向けて徐々に平坦に近くなって行き、ローポジションでは平面となるように、ハイポジションからローポジションにかけて緩やかかつ滑らかに変化する形状となっている。
【００４３】
次に、ヘッド１３０は、弦１４０の先端を固定する部分である。弦１４０の先端はヘッド１３０の各々の糸巻き部１３１に巻き付けられて固定されている。糸巻き部１３１は回転可能なようになっており、糸巻き部１３１を巻き締めたり巻き緩めたりして弦の張力を調整する調弦ができるようになっている。
【００４４】
弦１４０は、後端がテイルピース１１１に係止され、先端が糸巻き部１３１に係止され、所定の張力をもってそれぞれ張設されている。ピックアップ装置がマグネット−コイル式であれば、磁束の変化を捉えるため、弦１４０は金属弦となる。
【００４５】
弓２００は、バイオリン等の擦弦楽器に用いられているものと同じもので良く、一般に木製からなるスティック２０１と、このスティック２０１の下面側に張設された馬の毛からなる弓毛２０２により構成されている。従来の擦弦楽器に用いられる弓と同様、松脂を塗っておくことも好ましい。
【００４６】
以上、本発明の電気擦弦楽器１００の構成を説明したが、次に、本発明の電気擦弦楽器１００の演奏の仕方について述べる。
図９は、本発明の電気擦弦楽器１００を演者が抱えるためのストラップ３００を併せて示した図である。ストラップ３００は、一方をネック１２０先端またはヘッド１３０付近に取り付け、他方をボディ本体の後端付近に取り付けた第１のストラップ３１０と、一方をボディ本体１１０の先端付近に取り付け、他方をボディ本体１１０の後端付近に取り付けた第２のストラップ３２０を備えたものとなっている。
【００４７】
演者は、第１のストラップ３１０を肩から吊り下げて電気擦弦楽器１００全体の重量を支えつつ、第２のストラップ３２０を腰に巻き付ける。第２のストラップ３２０を設ける意味は以下のとおりである。
図１０は、電気擦弦楽器１００の擦弦位置を示す図である。弓２００により擦弦する場合、弓２００を弓先から弓元へ運ぶアップボウ、弓元から弓先へ引くダウンボウの擦弦動作が繰り返される。弦１４０と弓２００の擦弦により摩擦力が生じるが、アップボウのときに生じる摩擦力のベクトルと、ダウンボウのときに生じる摩擦力のベクトルが異なるため、アップボウ動作、ダウンボウ動作に応じて擦弦楽器１００が揺動してしまう。また、擦弦楽器にも物理的な重心が存在しており、擦弦楽器が吊り下げられた状態で擦弦される場合、その重心位置と擦弦位置が概ね合致しておれば、擦弦という動作により左右に揺動する回転モーメントは小さいが、擦弦位置と重心位置がずれていれば回転モーメントが生じて左右に揺動しやすくなる。従来のバイオリンなどでは、たとえ擦弦位置と重心位置がずれていて回転モーメントが生じても、バイオリン全体を首と運指を行う指の２点で支えることによってこの回転モーメントによりバイオリンが揺動する問題は生じない。しかし、本発明の電気擦弦楽器１００では、第１のストラップで首から吊り下げる状態であるので、擦弦位置と重心位置がずれていて回転モーメントが生じると左右に揺動することとなる。そこで、本発明の電機擦弦楽器１００では第２のストラップ３２０を腰に巻き付けることにより、擦弦演奏時に生じる電気擦弦楽器１００全体の左右揺動を抑制する。
【００４８】
なお、ボディ本体１１０の中央部左側が十分にくびれているので、弦１４０ａの擦弦時（左利きの人は弦１４０ｆの擦弦時）において弓２００がボディ本体１１０に当たることなく弓２００を移動させることができる。そしてボディ本体１１０に生じる回転モーメントは第２のストラップ３２０が腰に巻かれているため、その揺動を抑えることができる。同様にボディ本体１１０の中央部右側が十分にくびれているので、弦１４０ｆの擦弦時（左利きの人は弦１４０ａの擦弦時）においても弓２００がボディ本体１１０に当たることなく弓２００を移動させることができる。そしてボディ本体１１０に生じる回転モーメントは第２のストラップ３２０が腰に巻かれているため、その揺動を抑えることができる。
【００４９】
このように、第２のストラップ３２０が腰に巻かれているため、ボディ本体１１０が腰に対して相対的に固定されているため、電気擦弦楽器１００の演者の体に対する揺動を抑えることができる。
【００５０】
次に、ハイポジションからミドルハイポジションにおいて「フレット無し擦弦奏法」を行う場合の演奏の様子を説明する。
図１１は、図６に示したミドルハイポジションにおいて、弦１４０ｅに対して指を立てて押さえつつ弓２００で弦１４０ｅのみを擦弦している様子を、（ａ）ミドルハイポジションに対応する図１のＥ−Ｅ線断面図において示した図と、（ｂ）弓２００での擦弦箇所に対応する図１のＣ−Ｃ線断面図において示した図である。
【００５１】
図１１（ａ）に示すように、ミドルハイポジションにおいて、弦１４０ｅに対して指を立てて押さえることにより弦１４０ｅのみが指板１２１に対して接触している。他の弦１４０ａ〜弦１４０ｄ、弦１４０ｆは指板１２１に対して接触していない。
この状態において、図１１（ｂ）に示すように、弓２００は擦弦箇所において弦１４０ｅのみが擦弦されて音が発せされている。なお、フレットが設けられていないので、運指を細かく揺らすいわゆるビブラート奏法等の無音階での演奏表現が可能となる。このように、ハイポジションからミドルハイポジションにおいて「フレット無し擦弦奏法」を行うことができる。
【００５２】
次に、ミドルローポジションからローポジションにおいて「フレット利用和音擦弦奏法」を行う場合の演奏の様子を説明する。
図１２は、図８に示したローポジションにおいて、すべての弦１４０ａ〜弦１４０ｆに対して指で押さえつつ弓２００で弦１４０ａ〜弦１４０ｆを滑らかに擦弦している様子を、（ａ）ローポジションに対応する図１のＧ−Ｇ線断面図において示した図と、（ｂ）弓２００での擦弦箇所に対応する図１のＣ−Ｃ線断面図において示した図である。
【００５３】
図１２（ａ）に示すように、ローポジションにおいて、すべての弦１４０ａ〜弦１４０ｆに対して指で押さえることによりすべての弦１４０ａ〜弦１４０ｆが指板１２１に対して接触している。また、ミドルローポジションからローポジションでは、指板１２１および弦面が略平面である上にフレット１２２が設けられており、いわゆるエレクトリックギターと同様の運指により指で複数弦を同時に押さえやすくなっている。
【００５４】
この状態において、図１２（ｂ）に示すように、複数の弦を一気に擦弦することにより、和音を出すことができることが分かる。このように、ミドルローポジションからローポジションにおいて「フレット利用和音擦弦奏法」を行うことができる。図中では弓２００が円弧を描きながら各弦１４０ａ〜１４０ｆを順に擦弦する動きを簡単に模式的に示している。
なお、ミドルローポジションからローポジションにおいても、単弦を演奏するいわゆる「フレット利用単音擦弦奏法」も可能である。
【００５５】
なお、本発明の電気擦弦楽器の演奏法として、弓２００を用いた「フレット利用和音擦弦奏法」と「フレット利用単音擦弦奏法」と「フレット無し擦弦奏法」を示したが、弓２００を用いず指やピックで弦１４０を弾いて演奏することも可能である。その場合は減衰音をベースとした演奏となる。したがって、演奏曲目や奏者の好みによって擦弦楽器としても撥弦楽器としても使用することができる。
【００５６】
以上、本発明の好ましい実施形態を図示して説明してきたが、本発明は、電気擦弦楽器として広く適用することができ、本発明の技術的範囲を逸脱することなく種々の変更が可能であることは理解されるであろう。
【図面の簡単な説明】
【００５７】
【図１】本発明の電気擦弦楽器１００の構成例を模式的に示す図である。
【図２】テイルピース１１１における各弦１４０ａ〜１４０ｆの固定位置を模式的に示した図である。
【図３】ブリッジ１１２における各弦１４０ａ〜１４０ｆの固定位置を模式的に示した図である。
【図４】擦弦箇所付近の各弦１４０ａ〜１４０ｆの張設位置を模式的に示した図である。
【図５】指板１２１の後端付近であるいわゆるハイポジション付近における指板１２１の形状と各弦１４０ａ〜１４０ｆの張設位置を模式的に示した図である。
【図６】指板１２１のいわゆるミドルハイポジション付近における指板１２１の形状と各弦１４０ａ〜１４０ｆの張設位置を模式的に示した図である。
【図７】指板１２１のいわゆるミドルローポジション付近における指板１２１の形状と各弦１４０ａ〜１４０ｆの張設位置を模式的に示した図である。
【図８】指板１２１のいわゆるローポジション付近における指板１２１の形状と各弦１４０ａ〜１４０ｆの張設位置を模式的に示した図である。
【図９】本発明の電気擦弦楽器１００を演者が抱えるためのストラップ３００を併せて示した図である。
【図１０】電気擦弦楽器１００の擦弦位置を示す図である。
【図１１】ミドルハイポジションにおいて、弦１４０ｅに対して指を立てて押さえつつ弓２００で弦１４０ｅのみを擦弦している様子を示す図である。
【図１２】ミドルローポジションにおいて、すべての弦１４０ａ〜弦１４０ｆに対して指で押さえつつ弓２００で弦１４０ａ〜弦１４０ｆを滑らかに擦弦している様子を示す図である。
【符号の説明】
【００５８】
１００  電気擦弦楽器
１１０  ボディ本体
１１１  テイルピース
１１１０  ブリッジサドル位置調節ネジ
１１２  ブリッジ
１１２０  ブリッジサドル高さ調節ネジ
１１３  ピックアップ装置
１１４  音量調節ツマミ
１１５  出力端子
１２０  ネック
１２１  指板
１２２  フレット
１２３  ナット
１３０  ヘッド
１３１  糸巻き部
１４０  弦
２００  弓
３００  ストラップ
３１０  第１のストラップ
３２０  第２のストラップ
【図１】
2012058402.tif 000003
【図２】
2012058402.tif 000004
【図３】
2012058402.tif 000005
【図４】
2012058402.tif 000006
【図５】
2012058402.tif 000007
【図６】
2012058402.tif 000008
【図７】
2012058402.tif 000009
【図８】
2012058402.tif 000010
【図９】
2012058402.tif 000011
【図１０】
2012058402.tif 000012
【図１１】
2012058402.tif 000013
【図１２】
2012058402.tif 000014
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
ボディ本体と、前記ボディ本体に連設されたネックおよびヘッドと、前記ボディ本体と前記ヘッド間に張設された複数本の弦と、前記ネックの上面に接合された指板と、前記指板上の一部の領域に植設された音程を決めるフレットと、前記ボディ本体上に設置され前記弦の弦面を凸曲面に支持するブリッジと、前記ネック上に設置され前記弦の弦面を平面に支持するナットと、前記弦の振動を検出し電気信号に変換するピックアップ装置と、電気信号を外部音響機器に出力する出力端子を備え、
前記ネックのローポジションのナットにおいて、前記弦が形成する弦面を平面に形成するとともに、前記ブリッジにおいて、前記弦が形成する弦面を凸曲面に形成することによって前記弦面を前記ネックのローポジションからハイポジションにかけて平面から凸曲面まで滑らかに変化させ、前記指板を前記弦面の変化に合わせた形に平面から凸曲面まで滑らかに変化させるとともに、前記ネックのローポジションからミドルローポジションにおいて前記フレットを植設し、前記ネックのミドルハイポジションからハイポジションにおいて前記フレットを植設せず、植設された前記フレットの形状を前記弦面の凸曲面の変化に応じて平面から凸曲面形状まで滑らかに変化するものとしたことを特徴とする電気擦弦楽器。
【請求項２】
前記ネックのローポジションにおいて、前記弦面に合わせた形に湾曲した前記フレットを用いたフレット利用和音擦弦奏法およびフレット利用単音擦弦奏法を可能とし、
前記ネックのハイポジションにおいて、前記フレットを用いないフレット無し擦弦奏法を可能としたことを特徴とする請求項１に記載の電気擦弦楽器。
【請求項３】
一方を前記ネック先端付近またはヘッド付近に取り付け、他方を前記ボディ本体の後端付近に取り付けた第１のストラップと、一方を前記ボディ本体の先端付近に取り付け、他方を前記ボディ本体の後端付近に取り付けた第２のストラップを備え、
前記第１のストラップを肩から吊り下げることにより楽器全体の重量を支えるとともに、前記第２のストラップを腰に巻き付けることにより、楽器重心位置と擦弦位置とのずれにより演奏時に生じる楽器の左右揺動を抑制することを可能とした請求項１または２に記載の電気擦弦楽器。
【請求項４】
前記ピックアップ装置が、個々の前記弦に対応している個々のピックアップ部材の高さを可変とする構造を備え、個々の前記弦と個々の前記ピックアップ部材との距離を調整することによりバランスの取れた音量の出力を可能としたことを特徴とする請求項１乃至３のいずれかに記載の電気擦弦楽器。
【請求項５】
前記フレットが取り替え可能な構造を備え、金属製のフレット、木製または樹脂製のフレットを選択して取り付け可能としたことを特徴とする請求項１乃至４のいずれかに記載の電気擦弦楽器。
【請求項６】
前記ボディ本体が共鳴用の共鳴胴を備え、電気楽器として電気信号処理を経たスピーカーから出力される音と、前記共鳴胴を介した前記弦の直接の共鳴音の双方の音色を発音することができることを特徴とする請求項１乃至５のいずれかに記載の電気擦弦楽器。
【請求項７】
従来の電気撥弦楽器のネックに対して貼り付ける指板と、前記指板上に設けられたフレットと、従来の電気撥弦楽器のボディ本体に取り付けるブリッジとを含む電気撥弦楽器−電気擦弦楽器変換キットであって、
前記従来の電気撥弦楽器のネックのナットが前記弦が形成する弦面を平面に形成する形状であり、前記ブリッジが前記弦が形成する弦面を凸曲面に形成する形状であり、前記弦面を前記ネックのローポジションからハイポジションにかけて平面から凸曲面まで滑らかに変化させるものであり、
前記指板が、前記弦面の変化に合わせて平面から凸曲面まで滑らかに変化する形状であり、
前記フレットが、前記ネックのローポジションからミドルローポジションにおいて植設され、前記ネックのミドルハイポジションからハイポジションにおいては植設されず、植設された前記フレットの形状を前記弦面の凸曲面の変化に応じて平面から凸曲面形状まで滑らかに変化するものとしたことを特徴とする電気撥弦楽器−電気擦弦楽器変換キット。
【手続補正２】
【補正対象書類名】明細書
【補正対象項目名】００１４
【補正方法】変更
【補正の内容】
【００１４】
上記目的を達成するため、本発明の電気擦弦楽器は、ボディ本体と、前記ボディ本体に連設されたネックおよびヘッドと、前記ボディ本体と前記ヘッド間に張設された複数本の弦と、前記ネックの上面に接合された指板と、前記指板上の一部の領域に植設された音程を決めるフレットと、前記ボディ本体上に設置され前記弦の弦面を凸曲面に支持するブリッジと、前記ネック上に設置され前記弦の弦面を平面に支持するナットと、前記弦の振動を検出し電気信号に変換するピックアップ装置と、電気信号を外部音響機器に出力する出力端子を備え、前記ネックのローポジションのナットにおいて、前記弦が形成する弦面を平面に形成するとともに、前記ブリッジにおいて、前記弦が形成する弦面を凸曲面に形成することによって前記弦面を前記ネックのローポジションからハイポジションにかけて平面から凸曲面まで滑らかに変化させ、前記指板を前記弦面の変化に合わせた形に平面から凸曲面まで滑らかに変化させるとともに、前記ネックのローポジションからミドルローポジションにおいて前記フレットを植設し、前記ネックのミドルハイポジションからハイポジションにおいて前記フレットを植設せず、植設された前記フレットの形状を前記弦面の凸曲面の変化に応じて平面から凸曲面形状まで滑らかに変化するものとしたことを特徴とする電気擦弦楽器である。
【手続補正３】
【補正対象書類名】明細書
【補正対象項目名】００２１
【補正方法】変更
【補正の内容】
【００２１】
次に、従来の電気撥弦楽器を改変して、上記本発明の電気擦弦楽器を得るための、電気撥弦楽器−電気擦弦楽器変換キットについて述べる。
電気撥弦楽器−電気擦弦楽器変換キットの構成は、従来の電気撥弦楽器のネックに対して貼り付ける指板と、前記指板上に設けられたフレットと、従来の電気撥弦楽器のボディ本体に取り付けるブリッジとを含むものである。ここで、前記従来の電気撥弦楽器のネックのナットが前記弦が形成する弦面を平面に形成する形状であり、前記ブリッジが前記弦が形成する弦面を凸曲面に形成する形状であり、前記弦面を前記ネックのローポジションからハイポジションにかけて平面から凸曲面まで滑らかに変化させるものであり、前記指板が、前記弦面の変化に合わせて平面から凸曲面まで滑らかに変化する形状であり、前記フレットが、前記ネックのローポジションからミドルローポジションにおいて植設され、前記ネックのミドルハイポジションからハイポジションにおいては植設されず、植設された前記フレットの形状を前記弦面の凸曲面の変化に応じて平面から凸曲面形状まで滑らかに変化するものとしたことを特徴とするものである。
このような電気撥弦楽器−電気擦弦楽器変換キットを提供することにより、従来の電気撥弦楽器として広く普及しているエレクトリックギターを基に、電気撥弦楽器−電気擦弦楽器変換キットの指板の貼り付けやブリッジの取り付けにより、簡単に本発明の電気擦弦楽器を製作することができる。
【手続補正４】
【補正対象書類名】明細書
【補正対象項目名】００４０
【補正方法】変更
【補正の内容】
【００４０】
次に、図７は、指板１２１のいわゆるミドルローポジション付近における指板１２１の形状と各弦１４０ａ〜１４０ｆの張設位置を模式的に示した図である。図１におけるＦ−Ｆ線断面図となっている。図７に示すように、各弦１４０ａ〜１４０ｆの高さは、両端にある弦１４０ａ、弦１４０ｆが低く、若干中央にある弦１４０ｃ、弦１４０ｄが高く、弦面が緩やかな凸曲面を形成するように張設されているが、図６に示したミドルハイポジションの張設位置よりさらに低くなっており、弦面の凸曲面が略平面に近くなってきている。また、指板１２１の上面は弦１４０ａ〜１４０ｆの弦面に応じてその凸曲面が略平面に近くなっている。さらに、このミドルローポジション付近においては指板１２１上にフレット１２２が設けられている。つまり、弦面の凸曲面が略平面に近くなってきていることかつ指板１２１の凸曲面に応じた凸曲面状のフレットが設けられている２つの特徴から、弦１４０ａ〜１４０ｆの一つに指を立てて押さえて擦弦する「フレット利用単音擦弦奏法」のほか、指で複数弦を同時に押さえる「和音擦弦奏法」も可能となっている。つまり、ミドルローポジションでは「フレット利用単音擦弦奏法」と指で複数弦を同時に押さえる「フレット利用和音擦弦奏法」のいずれも選択して演奏できるようになっている。
【手続補正書】
【提出日】平成23年9月19日(2011.9.19)
【手続補正１】
【補正対象書類名】特許請求の範囲
【補正対象項目名】全文
【補正方法】変更
【補正の内容】
【特許請求の範囲】
【請求項１】
ボディ本体と、前記ボディ本体に連設されたネックおよびヘッドと、前記ボディ本体と前記ヘッド間に張設された複数本の弦と、前記ネックの上面に接合された指板と、前記指板上の一部の領域に植設された音程を決めるフレットと、前記ボディ本体上に設置され前記弦の弦面を凸曲面に支持するブリッジと、前記ネック上に設置され前記弦の弦面を平面に支持するナットと、前記弦の振動を検出し電気信号に変換するピックアップ装置と、電気信号を外部音響機器に出力する出力端子を備え、
前記ネックのローポジションのナットにおいて、前記弦が形成する弦面を平面に形成するとともに、前記ブリッジにおいて、前記弦が形成する弦面を凸曲面に形成することによって前記弦面を前記ネックのローポジションからハイポジションにかけて平面から凸曲面まで滑らかに変化させ、前記指板を前記弦面の変化に合わせた形に平面から凸曲面まで滑らかに変化させるとともに、前記ネックのローポジションからミドルローポジションにおいて前記フレットを植設し、前記ネックのミドルハイポジションからハイポジションにおいて前記フレットを植設せず、植設された前記フレットの形状を前記弦面の凸曲面の変化に応じて平面から凸曲面形状まで滑らかに変化するものとしたことを特徴とする電気擦弦楽器。
【請求項２】
前記ネックのローポジションにおいて、前記弦面に合わせた形に湾曲した前記フレットを用いたフレット利用和音擦弦奏法およびフレット利用単音擦弦奏法を可能とし、
前記ネックのハイポジションにおいて、前記フレットを用いないフレット無し擦弦奏法を可能としたことを特徴とする請求項１に記載の電気擦弦楽器。
【請求項３】
一方を前記ネック先端付近またはヘッド付近に取り付け、他方を前記ボディ本体の後端付近に取り付けた第１のストラップと、一方を前記ボディ本体の先端付近に取り付け、他方を前記ボディ本体の後端付近に取り付けた第２のストラップを備え、
前記第１のストラップを肩から吊り下げることにより楽器全体の重量を支えるとともに、前記第２のストラップを腰に巻き付けることにより、楽器重心位置と擦弦位置とのずれにより演奏時に生じる楽器の左右揺動を抑制することを可能とした請求項１または２に記載の電気擦弦楽器。
【請求項４】
前記ピックアップ装置が、個々の前記弦に対応している個々のピックアップ部材の高さを可変とする構造を備え、個々の前記弦と個々の前記ピックアップ部材との距離を調整することによりバランスの取れた音量の出力を可能としたことを特徴とする請求項１乃至３のいずれかに記載の電気擦弦楽器。
【請求項５】
前記フレットが取り替え可能な構造を備え、金属製のフレット、木製または樹脂製のフレットを選択して取り付け可能としたことを特徴とする請求項１乃至４のいずれかに記載の電気擦弦楽器。
【請求項６】
前記ボディ本体が共鳴用の共鳴胴を備え、電気楽器として電気信号処理を経たスピーカーから出力される音と、前記共鳴胴を介した前記弦の直接の共鳴音の双方の音色を発音することができることを特徴とする請求項１乃至５のいずれかに記載の電気擦弦楽器。
【請求項７】
従来の電気撥弦楽器のネックに対して貼り付ける指板と、前記指板上に設けられたフレットと、従来の電気撥弦楽器のボディ本体に取り付けるブリッジとを含む電気撥弦楽器−電気擦弦楽器変換キットであって、
前記従来の電気撥弦楽器のネックのナットが弦が形成する弦面を平面に形成する形状であり、前記ブリッジが前記弦が形成する弦面を凸曲面に形成する形状であり、前記弦面を前記ネックのローポジションからハイポジションにかけて平面から凸曲面まで滑らかに変化させるものであり、
前記指板が、前記弦面の変化に合わせて平面から凸曲面まで滑らかに変化する形状であり、
前記フレットが、前記ネックのローポジションからミドルローポジションにおいて前記指板上に植設され、前記ネックのミドルハイポジションからハイポジションにおいて前記指板上に植設されず、植設された前記フレットの形状を前記弦面の凸曲面の変化に応じて平面から凸曲面形状まで滑らかに変化するものとしたことを特徴とする電気撥弦楽器−電気擦弦楽器変換キット。
【手続補正２】
【補正対象書類名】明細書
【補正対象項目名】００２１
【補正方法】変更
【補正の内容】
【００２１】
次に、従来の電気撥弦楽器を改変して、上記本発明の電気擦弦楽器を得るための、電気撥弦楽器−電気擦弦楽器変換キットについて述べる。
電気撥弦楽器−電気擦弦楽器変換キットの構成は、従来の電気撥弦楽器のネックに対して貼り付ける指板と、前記指板上に設けられたフレットと、従来の電気撥弦楽器のボディ本体に取り付けるブリッジとを含むものである。ここで、前記従来の電気撥弦楽器のネックのナットが弦が形成する弦面を平面に形成する形状であり、前記ブリッジが前記弦が形成する弦面を凸曲面に形成する形状であり、前記弦面を前記ネックのローポジションからハイポジションにかけて平面から凸曲面まで滑らかに変化させるものであり、前記指板が、前記弦面の変化に合わせて平面から凸曲面まで滑らかに変化する形状であり、前記フレットが、前記ネックのローポジションからミドルローポジションにおいて前記指板上に植設され、前記ネックのミドルハイポジションからハイポジションにおいて前記指板上に植設されず、植設された前記フレットの形状を前記弦面の凸曲面の変化に応じて平面から凸曲面形状まで滑らかに変化するものとしたことを特徴とするものである。
このような電気撥弦楽器−電気擦弦楽器変換キットを提供することにより、従来の電気撥弦楽器として広く普及しているエレクトリックギターを基に、電気撥弦楽器−電気擦弦楽器変換キットの指板の貼り付けやブリッジの取り付けにより、簡単に本発明の電気擦弦楽器を製作することができる。